(57)【要約】【解決課題】  ヘッドライトボディをハンドル近くになるように車体に固定しても、他の配線との混み合いがなく、ハンドルの操作性を向上させることができる鞍乗型走行車両、特に自動二輪車用ヘッドライト構造を提供する。【解決手段】  ヘッドライトボディの車体側の背面には、バルブをヘッドライトボディに収容するための複数の凸状領域があり、最も面積が大きい凸状領域の周縁部にあり、他の凸状領域と干渉しない余裕部に、一方向に這わせるようにして、メインバルブからのリード線と他のバルブからのリード線とを配置させ、かつこれら複数のリード線を互いにかしめて集合配線を形成し、この集合配線の前記車体側の端部にコネクタを結合し、このコネクタを当該車体側の電気接点と接続するようにした。【選択図】  図７
2006015786.tif 000002
【特許請求の範囲】
【請求項１】
複数のバルブと、レンズと、前記複数のバルブを前記レンズ側に向けて支持するヘッドライトボディとを備え、前記ヘッドライトボディがハンドルの前方で固定され、前記バルブからのリード線が前記ヘッドライトボディから送り出されて車体側の電気接点に接続されるように構成した鞍乗型車両のヘッドライトであって、
前記ヘッドライトボディの車体側の背面には、前記バルブをヘッドライトボディに収容するための複数の凸状領域があり、最も面積が大きい凸状領域の周縁部にあり、他の凸状領域と干渉しない余裕部に、一方向に這わせるようにして、メインバルブからのリード線と他のバルブからのリード線とを配置させ、かつこれら複数のリード線を互いにかしめて集合配線を形成し、この集合配線の前記車体側の端部にコネクタを結合し、このコネクタを当該車体側の前記電気接点と接続するようにした鞍乗型車両のヘッドライト。
【請求項２】
前記メインバルブがロービーム用バルブである、請求項１記載のヘッドライト。
【請求項３】
前記ロービーム用バブルのほかにポジションバルブがあり、このポジションバルブからのリード線が、前記ヘッドライトボディの背面での凹部を介して、前記余裕部に向けて配向されてなる請求項２記載のヘッドライト。
し、
【請求項４】
前記ロービーム用バルブの上に前記ポジションバルブを設け、このポシションバルブからリード線を、前記余裕部に沿って下降させ、これを前記第２集合配線にかしめるようにした請求項３記載のヘッドライト。
【請求項５】
前記リード線を前記余裕部に固定するための固定片が、前記ヘッドライトボディの背面の前記余裕部に臨む位置に設けられてなる請求項１乃至４記載のヘッドライト。
【請求項６】
複数のリード線をかしめる際に端子を共通にすることによって、集合線のリード線数を全リード線数より少なくなるようにした請求項１乃至５のいずれか１項記載のヘッドライト。
【発明の詳細な説明】
【技術分野】
【０００１】
本発明は自動二輪車などの鞍乗型車両のヘッドライト構造に係わるものであり、ヘッドライト本体内での配線のレイアウトを効率的に行うための改良を加えたヘッドライト構造に関するものである。
【背景技術】
【０００２】
この種のヘッドライト構造に関して、例えば、特開２００２−３３７７７４号公報に記載のものが存在する。このものは、部品点数を削減できるとともに、ヘッドライト廻りのデザイン的一体感を得ることのできる自動二輪車のヘッドライト取付構造を提供することを目的として、図５に示すように、フロントフォーク３の左，右フォーク本体１０の上端部同士を結合するハンドルクラウン１１に立設されたハンドルホルダ２２により操向ハンドル５を支持し、該操向ハンドル５の支持部近傍にヘッドライト１６を取り付けるようにした自動二輪車１のヘッドライト取付構造において、上記ヘッドライト１６を、上記ハンドルクラウン１１の前方に配置されメータを収容するメータハウジング２８を介してハンドルクラウン１１に取り付けたことを特徴とするものである。
【特許文献１】特開２００２−３３７７７４号公報
【発明の開示】
【発明が解決しようとする課題】
【０００３】
近年、この種のヘッドライトにおいて、ロービーム／ハイビーム／ポジションライトなどの複数のバルブを備えている。追加されるバルブはポジションバルブと呼ばれ、二輪車のポジション、すなわち、他車からの被視認性を向上させることが期待されている他、デザインを向上させることも目的とされている。
【０００４】
従来は、ヘッドライトボディに固定された各バルブからのリード線をヘッドライトボディに固定することなく、そのままヘッドライトボディから車体側の接点に延長するようにしていた。その場合、ハンドル軸回りにはクラッチホース、スロットルワイヤ、ブレーキホースなどの配線が混み合って存在しており、これらの配線を避けようとしてヘッドライトボディからの配線の配置を工夫しても、ハンドルを操作したときに、ハンドル軸とヘッドライトからの配線とが干渉するおそれがあった。そこで、ヘッドライトボディをハンドルから極力離間させてスペースを確保し、このスペースにヘッドライトボディからの配線が収まるように、ヘッドライトボディを車体に固定することが行われていた。また、バルブからのリード線をヘッドライトボディの中に収容させようとするとヘッドライトボディが厚くなる。
【０００５】
いずれの場合も、ハンドルから離れたところにヘッドライトの重心が来るのでハンドル軸回りのモーメントが大きくなるという課題があった。また、このようなヘッドライト組立体は見栄えも芳しくないものであった。そこで、この発明は、このような課題を解決するために、ヘッドライトボディにバルブからのリード線を効果的に収めるようにして、ヘッドライトボディを従来のものに比較して薄く構成出来、したがって、ヘッドライトボディをハンドル近くになるように車体に固定しても、他の配線との混み合いがなく、ハンドルの操作性を向上させることができる鞍乗型走行車両、特に自動二輪車用ヘッドライト構造を提供することを目的とするものである。
【課題を解決するための手段】
【０００６】
前記目的を達成するために、本発明者はヘッドライトボディの背面で各バルブからのリード線を効率的に配策することについて検討した。ヘッドライトボディの背面には、複数のバルブをレンズ側に向けて固定するために、比較的複雑な凹凸形状が顕れている。従来は、この複雑な凹凸形状を避けるために各バルブからのリード線をそのまま車体側に向けて延長させていた。  
【０００７】
しかしながら、これでは既述のような問題があるために、本発明は、複数のバルブと、レンズと、前記複数のバルブを前記レンズ側に向けて支持するヘッドライトボディとを備え、前記ヘッドライトボディがハンドルの前方で固定され、前記バルブからのリード線が前記ヘッドライトボディから送り出されて車体側の電気接点に接続されるように構成した鞍乗型車両のヘッドライトであって、前記ヘッドライトボディの車体側の背面には、前記バルブをヘッドライトボディに収容するための複数の凸状領域があり、最も面積が大きい凸状領域の周縁部にあり、他の凸状領域と干渉しない余裕部に、一方向に這わせるようにして、メインバルブからのリード線と他のバルブからのリード線とを配置させ、かつこれら複数のリード線を互いにかしめて集合配線を形成し、この集合配線の前記車体側の端部にコネクタを結合し、このコネクタを当該車体側の接点と接続するようにしたことを特徴とするものである。
【０００８】
従来のヘッドライトボディの背面について検討すると、複数の凸状領域のうち、最も面積が大きい凸状領域の周りには、リード線を走らせることが可能な環状を持った余裕部が、他の凸状領域から区別される形で形成されている。本発明はこの余裕領域を利用して、複数のリード線をかしめ(束ね)ながら集合配線を形成し、この集合配線をこの領域に収めるようにしたのである。したがって、ヘッドライトボディを従来のものに比較して薄く構成出来、ヘッドライトボディをハンドル近くになるように車体に固定しても、他の配線との混み合いがなく、ハンドルの操作性を向上させることができる自動二輪車用ヘッドライト構造を提供することができる。
【０００９】
本発明のより詳しい構成を説明すると次のとおりである。前記メインバルブがロービーム用バルブである。前記ロービーム用バブルのほかにポシションバルブがあり、このポシションバルブからのリード線が、前記ヘッドライトボディの背面での凹部を介して、前記余裕部に向けて配向されてなる。前記ロービームバルブの下方にハイビーム用バルブあり、前記ハイビーム用バルブと前記ポジションバルブのリード線を互いにかしめて第１集合配線とし、これを前記凹部内に配向させつつ前記ロービーム用バルブのリード線とかしめて第２集合配線を形成し、これを前記余裕部に沿って配向するようにし、他のポシションバルブのリード線を更に他の凹部を利用して前記第２集合線に向けて配向させ、これらをかしめて第３集合配線とし、この端部に前記コネクタを接続してなる。前記ロービーム用バルブの上に更に他のポジションバルブを設け、このポシションバルブからリード線を、前記余裕部に沿って下降させ、これを前記第２集合配線にかしめるようにした。前記リード線を前記余裕部に固定するための固定片が、前記ヘッドライトボディの背面の前記余裕部に臨む位置に設けられてなる。複数のリード線をかしめる際に端子を共通にすることによって、集合線のリード線数を全リード線数より少なくなるようにした。
【発明を実施するための最良の形態】
【００１０】
次に本発明を実施するための最良の形態について説明する。図１において、１はヘッドライトが適用された自動二輪車であり、これは以下の概略構造を有する。即ち、自動二輪車１の車体フレーム２の前端に位置するヘッドパイプ４０によりフロントフォーク３が左右に操向自在に支持されている。このフロントフォーク３の下端で前輪４が軸支され、上端には操向ハンドル５がハンドルホルダを介して固定支持されている。この操向ハンドル５の支持部の前側近傍にはヘッドライト１６が装着されている。そしてこのヘッドライト１６の上側でかつ上記操向ハンドル５の支持部の前側の近傍にはタコメータ１７が装着され、さらに操向ハンドル５の支持部の後側近傍にはスピードメータ１８が装着されている。
【００１１】
フロントフォーク３は、インナチューブ１０ａをアウタチューブ１０ｂ内に伸縮自在に挿入してなる左，右一対のフォーク本体１０，１０を備えた、倒立型テレスコピックフォークである。インナチューブ１０ａの下端部により前輪４が支持され、アウタチューブ１０ｂの上部が車体フレーム２のヘッドパイプ４０により支持されている。
【００１２】
左，右のフォーク本体１０のアウタチューブ１０ｂの上端同士はハンドルクラウン１１により結合され、さらにアウタチューブ１０ａの高さ方向中央よりやや上部同士はアンダブラケット１２により結合されており、これによりフロントフォーク３はフォーク状をなしている。
【００１３】
図２は、ヘッドライト部の拡大図であり、このヘッドライト部は湾曲状に形成されたレンズ部５０と、ヘッドライトボディ５２と、このヘッドライトボディの左右カバー５４とを備えて構成されている。左右カバーの上部がハンドルクラウン１１に固定され、下端がアンダーブラケット１２に固定されている。これにより、ヘッドライトボディが車体に固定されている。なお、符号５５はスイッチ類のハーネスであり、符号５６はクラッチホースであり、符号５８はハンドル支持部であり、符号６０Ａは車体フレームである。
【００１４】
図３は、ヘッドライト全体の正面図であり、ヘッドライトボディの中心位置にロービームバルブ(ロービームバルブセンタ６０)が設けられ、ロービームバルブの下にハイビームバルブ(ハイビームバルブセンタ６２)が設けられている。さらに、ロービームバルブの上に他のポジションバルブ（ポジションバルブセンタ６８）が設けられている。
【００１５】
図４,図５に示すように、ヘッドライトのヘッドライトボディの背面は、複雑な凹凸形状７１を成しており、それぞれのバルブのソケット７０,７２からのリード線７４,７６が、凸状領域を避けて、リード線を這わせる上で余裕となる凹部内をコネクタに向けて配向されるようになっている。
【００１６】
図６は、ヘッドライト全体を車両の進行方向の断面で切断した場合の断面図である。ヘッドライトボディ５２は、正面にレンズ５４を固定するとともに、各バルブを正面のレンズに向かって固定する機能を達成する。このヘッドライトボディは複数のカバー部材から構成されている。符号８０は、ヘッドライトボディの中心を成す第１カバーであり、上部にロービームバルブ６０を固定するとともに、ロービームバルブの下方にハイビームバルブ６２を固定する。
【００１７】
符号８４のカバーは、主バルブとしてのロービームバルブ８２の上にポシションバルブ６８を固定している。カバー８４は大型のロービームバルブを覆うように湾曲状にヘッドライトボディの背面で大きく突出して、凸状領域を形成している。ここで、主バルブとはヘッドライトボディの背面で最も大きい面積の凸状領域が必要なバルブをいう。必ずしもロービーム用のバルブに限られるものではない。
【００１８】
符号８６のカバーはロービームバルブの電極回りを覆うようになっており、前記ロービームバルブのソケット８８はこのカバー８６を超えて車体側に突出しており、このソケットからは２極のリード線９０が下方に向けて送出されている。符号９２はハイビームバルブのソケットの背面を覆うリアカバーである。複数のカバーの結合部にはシール部材９４が介装されている。このように、ヘッドライトボディの背面は複数のカバーによって複雑な凹凸領域がが形成されている。
【００１９】
図７は、ヘッドライトボディの背面図である。ヘッドライトボディの背面は複雑な凹凸形状を呈している。この凹凸形状の中でもっとも面積が大きい、カバー８４からなる凸部の回り、すなわち縁部には、環状の余裕部１００が形成されている。この余裕部１００は凸部８４と比較して凹状を成しており(図６)、後述の通り複数のバルブのリード線をかしめて集合させた集合配線(ハーネス)を巻き回し、その巻き回し方向を規制する上でとても適している。ここで、かしめるとは複数のリード線を束ねることをいい、その際に共通する端子のリード線を省略しても良く、すなわちリード線の数を減じながら集合配線（ハーネス）を形成していくものである。
【００２０】
ハイビーム用バルブのソケット１０２（図６参照）を覆うカバー９２からソケット１０３を介して一対のリード線（電気配線）１０４が図示左方向に送られ、ヘッドライトボディ背面の凹部１０６内をヘッドライトボディの左側縁部に沿ってロービーム用バルブ６０側に上昇して行く。一対のリード線を纏めた集合配線１１２は、途中でほぼ直角にロービームバルブ側のケース８４８（凸状領域）の下方部分に向かって曲がり、ロービーム用バルブのケース８４に到達した後には環状の凹部（余裕部）１００を這いながら、これに沿って図示右側側に向かって進んでいる。ここで、凹部１０６とは凸状領域間の平坦部分をいい、必ずしも溝状になっていなくともかまわない。
【００２１】
ロービームバルブのソケット８８からは一対のリード線９０が下方に向かって突出し、集合配線１１２に更にかしめられて集合配線１１４を形成した後、この集合配線１１４が環状凹部(余裕部)１００に沿って上方に配向される。
【００２２】
一方、ロービームバルブ６０の上側にあるポシションバルブ６８からは環状凹部１００を這うようにして一対のリード線１１６が下降し、集合配線１１２にかしめられる。全てのリード線がかしめられた最終の集合配線の端部にはコネクタ１２４が結合され、このコネクタは紙面に直交する方向（車体側）に配向され車体側のリレーやコネクタなどの接点と着脱自在に結合される。なお、図７において、符号２００は集合配線を環状余裕部１００に固定するために、この環状余裕部に臨む固定部材(クリップ)である。集合配線はこのクリップによって、撓むことがないようにヘッドライトボディの背面に固定される。このクリップは環状凹部の途中で所定間隔を介して複数個設けられている。以上説明したように、集合配線は環状凹部を這うように、コネクタ側に向けて配向されている。集合配線を余裕部に収容することができるとともに、集合配線の配向方向を規制することができる。このように、ヘッドライトボディ背面の凹凸形状の隙間、凹部などの余裕部を利用して複数の配線をかしめながら配向させることができるので、ヘッドライトボディの背面に配線を効率良く配策することできる。この結果、ヘッドライトボディから車体側に出る集合配線の長さを短くできるので、ヘッドライト自体を従来のものより薄く形成することができるとともに、ヘッドライトをハンドルにより近づけて車体側に固定することができる。
【００２３】
また、図１１に示すように、ハイビームバルブ６２からの２本のリード線１０４にポジションライト６８からの２本のリード線１１６がかしめられて３本のリード線からなる集合配線１12になり、これにロービームバルブの２本のリード線１２０がかしめられて最終的に４本のリード線からなる集合配線１２０Ａになる。このように、リード線の総数が「かしめる」ことにより、減じられるという効果を達成する。図１１において、符号３００は複数のリード線がかしめられる連結部を示している。  次に車体固定されたカウリングにヘッドライトが固定された実施形態について説明する。以下図面を参照してこの実施の形態について説明する。図８および図９はそれぞれ、本発明に係るヘッドライト構造を備えた自動二輪車の前側部分の構成を示す側面図および正面図である。前輪１３０が左右のフロントフォーク１３２に装着され、その上側にフロントフェンダー１３３が取付けられる。フロントフォーク１３２はハンドルのステアリング軸に連結される。ステアリング軸が挿通するヘッドパイプおよびこれに接合されたメインフレーム等により車体フレームが形成される。フロントフェンダー１３３の左右両側および上側を覆ってレッグシールド１３４が備わる。
【００２４】
フロントフェンダー１３３の上側のレッグシールド１３４の中央部にヘッドライト組体１３５が取付けられる。ヘッドライト組体１３５は、この例では中央部の左右２個のバルブ１３６からなるヘッドランプ部１３７とその左右両側のフラッシャー部１３８からなり、前面がレンズ１３９で覆われる。
【００２５】
図１０に示すように、左右のフラッシャーバルブ１５０からのリード線１５２はヘッドライトボディ背面の凹部を介して、左右のメインバルブ１５４の背面の環状の凸部の回りの凹部１５６に沿ってソケット１６０に至る。メインバルブからのリード線１６２は下方に向けて延び前記環状凹部に沿って上方のコネクタ１６０に向けて配向され、フィッシャーバルブからのリード線１５２とかしめられてコネクタに接続される。
【００２６】
リード線１５２（２本）にリード線１６２（２本）が連結部３００において互いにかしめられて３本のリード線からなる集合配線１０６Ａとなり、これは左右のバルブで同じである。
【００２７】
以上説明した実施形態では、ロービーム用バルブとハイビーム用バルブとを別にしたが、これを一体のものにしても良い。ポシションバルブの数や位置は適宜変更可能である。
【図面の簡単な説明】
【００２８】
【図１】ヘッドライトを備えた自動二輪車の全体図。
【図２】ヘッドライトの車体側への取り付け部分の詳細図。
【図３】ヘッドライトの正面図。
【図４】ヘッドライトの底面図。
【図５】ヘッドライトの側面図。
【図６】図５の断面図。
【図７】ヘッドライトボディの背面図。
【図８】ヘッドライトボディ(他の実施形態)を備える自動二輪車の前部の拡大図。
【図９】この自動二輪車の正面図。
【図１０】図８のヘッドライトのヘッドライトボディの背面図。
【図１１】リード線同士をかしめることにより、リード線数が減じられていく様子を示した図。
【符号の説明】
【００２９】
１１：ハンドルクラウン、１２：アンダーブラケット、５０：レンズ部、５２：ヘッドライトボディ、５４：左右カバー、５５：ハーネス、５６：クラッチホース、５８：ハンドル支持部、６０：ロービームバルブ、６２ハイビームバルブ、６８：ポジションバルブ、７１：凹凸形状、バルブのソケット７０,７２、７４，７６：リード線、８４：凸状領域
【図１】
2006015786.tif 000003
【図２】
2006015786.tif 000004
【図３】
2006015786.tif 000005
【図４】
2006015786.tif 000006
【図５】
2006015786.tif 000007
【図６】
2006015786.tif 000008
【図７】
2006015786.tif 000009
【図８】
2006015786.tif 000010
【図９】
2006015786.tif 000011
【図１０】
2006015786.tif 000012
【図１１】
2006015786.tif 000013